(57)【要約】【課題】平らに折り畳むときに、横幅を陳列棚の横幅（Ｗ）に棚板１枚の奥行き（Ｄ）を合計した程度（＝Ｗ＋Ｄ）に短くでき、不使用時にコンパクトに折り畳んで収納できる。【解決手段】本発明は、各横幅が等しいｍ個（ｍは４以上の整数）の四角いフレームを前後に配置し、前後に隣接する四角いフレームの左端間、右端間それぞれを所定の長さＤの水平な連結パイプそれぞれにてリンク回転できるように前後に連結し、連結パイプ各々が四角いフレーム各々と直角になる状態で、前後に隣接する四角いフレーム間それぞれに棚板それぞれを渡した商品陳列棚を特徴とする。【選択図】    図５
2018051187.tif 000002
【特許請求の範囲】
【請求項１】
各横幅が等しいｍ個（ｍは４以上の整数）の四角いフレームを前後に配置し、
前後に隣接する前記四角いフレーム２体の左端間、右端間それぞれを所定の長さの水平な連結パイプそれぞれにてリンクして回転できるように前後に連結し、
前記連結パイプ各々が前記四角いフレーム各々と直角になる状態で、前記前後に隣接する四角いフレーム２体間それぞれに棚板それぞれを渡したことを特徴とする商品陳列棚。
【請求項２】
前記四角いフレームは４体であり、
最前列の四角いフレームは棚一段分の高さ、前から二番目の四角いフレームは棚二段分の高さ、前から三番目と最奥側の四角いフレームとは棚三段分の高さにして、階段状の棚としたことを特徴とする請求項１に記載の商品陳列棚。
【請求項３】
前記最前列の四角いフレームの上端部、前記前から二番目の四角いフレームの中間位置と上端部、前記前から三番目と最奥側の四角いフレームとのそれぞれの上から三等分した下から一段目、下から２段目、上端それぞれに棚板受け材を水平に設け、
前記前後に対向する棚板受け材間それぞれに棚板それぞれを渡して、階段状の棚としたことを特徴とする請求項２に記載の商品陳列棚。
【請求項４】
前記４体の四角いフレームそれぞれの同じ高さの下部それぞれに底板受け材を水平に設け、
前記前後に対向する底板受け材間それぞれに棚底板それぞれを渡したことを特徴とする請求項３に記載の商品陳列棚。
【発明の詳細な説明】
【技術分野】
【０００１】
本発明は、折り畳み収納が可能な商品陳列棚に関する。
【背景技術】
【０００２】
従来、コンパクトに折り畳んで収納する商品陳列棚には、意匠登録第１２０００２３号公報（特許文献１）に記載されたものが知られている。この従来の商品陳列棚は、棚板を取り外すことによって平らに折り畳むことができ、不使用時にコンパクトに収納できて便利である。
【先行技術文献】
【特許文献】
【０００３】
【特許文献１】意匠登録第１２０００２３号公報
【発明の概要】
【発明が解決しようとする課題】
【０００４】
上記のような従来の商品陳列棚は横列３マスあり、それを最もコンパクトになるまで平らに折り畳んでも、横幅の２倍の幅になり、幅をとる問題点があった。
【０００５】
本発明は、このような従来技術の課題に鑑みてなされたもので、平らに折り畳むときに、横幅を陳列棚の横幅（Ｗ）に棚板１枚の奥行き（Ｄ）を合計した程度（＝Ｗ＋Ｄ）に小さくでき、不使用時にコンパクトに折り畳んで収納できる商品陳列棚を提供することを目的とする。
【課題を解決するための手段】
【０００６】
本発明は、各横幅が等しいｍ個（ｍは４以上の整数）の四角いフレームを前後に配置し、前後に隣接する前記四角いフレームの左端間、右端間それぞれを所定の長さの水平な連結パイプそれぞれにてリンクして回転できるように前後に連結し、前記連結パイプ各々が前記四角いフレーム各々と直角になる状態で、前記前後に隣接する四角いフレーム間それぞれに棚板それぞれを渡した商品陳列棚を特徴とする。
【発明の効果】
【０００７】
本発明の商品陳列棚によれば、ｍ個の四角いフレームを前後に連結パイプにてリンクして回転できるように連結しているので、収納時には棚板を取り外すことによって、連結パイプをリンクにして回転させてつづら折り状態に折り畳むことができ、かつ、その折り畳み状態では前後の四角いフレーム間で連結パイプの長さ分だけ横にずれながらつづら折り状に折り畳むことができ、横幅をコンパクトにして収納できる利点がある。
【図面の簡単な説明】
【０００８】
【図１】本発明の１つの実施の形態の商品陳列棚の完成状態の斜視図。
【図２】上記実施の形態の商品陳列棚の組み立て状態で棚板を取り外した状態の斜視図。
【図３】図２におけるＬ部の分解斜視図。
【図４Ａ】上記実施の形態の商品陳列棚の右前部の第一の方法による折り畳み始めの状態の拡大図。
【図４Ｂ】上記実施の形態の商品陳列棚の右前部の第一の方法による折り畳み中間状態の拡大図。
【図４Ｃ】上記実施の形態の商品陳列棚の右前部の第一の方法による折り畳み完了状態の拡大図。
【図５】上記実施の形態の商品陳列棚の第一の方法による折り畳み完了状態の前方から見た斜視図。
【図６】上記実施の形態の商品陳列棚の第二の方法による折り畳み完了状態の後方から見た斜視図。
【図７Ａ】上記実施の形態の商品陳列棚の右前部の第二の方法による折り畳み始めの状態の拡大図。
【図７Ｂ】上記実施の形態の商品陳列棚の右前部の第二の方法による折り畳み中間状態の拡大図。
【図７Ｃ】上記実施の形態の商品陳列棚の右前部の第二の方法による折り畳み完了状態の拡大図。
【発明を実施するための形態】
【０００９】
以下、本発明の実施の形態を図に基づいて詳説する。実施の形態の商品陳列棚１は、奥行き方向に前棚部１１、中間棚部１２、奥棚部３の３列で、かつ、前棚部１１は１段、中間棚部１２は２段、奥棚部１３は３段の階段棚構成である。
【００１０】
前棚部１１は、その前側左右の２つの角（かど）部それぞれに棚１段分の長さプラス脚部の長さの第一回転支柱２１を備え、後側左右の２つの角部それぞれに棚２段分の長さプラス脚部の長さの第二回転支柱２２を備えている。奥棚部１３は、その前側左右の２つの角部それぞれに棚３段分の長さプラス脚部の長さの第三回転支柱２３を備え、奥側左右の２つの角部それぞれにも棚３段分の長さプラス脚部の長さの第四回転支柱２４を備えている。中間棚部１２はその前側左右の２つ角部は前棚部１１の第二回転支柱２２を共用し、その後側左右の２つ角部は奥棚部１３の前側左右の第三回転支柱２３を共用する構成である。
【００１１】
左右の第一回転支柱２１，２１の上端間には、第一の一棚板受け材３１１を水平に渡している。また左右の第二回転支柱２２，２２における前記第一の一棚板受け材３１１と同じ高さの中間部位には、第一の二棚板受け材３１２を水平に渡している。さらに左右の第三回転支柱２３，２３における前記第一の一棚板受け材３１１及び第一の二棚板受け材３１２と同じ高さの中間部位には、第一の三棚板受け材３１３を水平に渡している。またさらに、最も奥の位置の左右の第四回転支柱２４，２４における、前記第一の一、一の二、一の三棚板受け材３１１，３１２，３１３と同じ高さの中間部位には、第一の四棚板受け材３１４を水平に渡している。
【００１２】
左右の第二回転支柱２２，２２の上端間には、第二の一棚板受け材３２１を水平に渡している。また左右の第三回転支柱２３，２３における前記第二の一棚板受け材３２１と同じ高さの中間部位には、第二の二棚板受け材３２２を水平に渡している。さらに左右の第四回転支柱２４，２４における前記第二の一棚板受け材３２１及び第二の二棚板受け材３２２と同じ高さの中間部位には、第二の三棚板受け材３２３を水平に渡している。
【００１３】
さらに、左右の第三回転支柱２３，２３の上端間には、第三の一棚板受け材３３１を渡している。また左右の第四回転支柱２４，２４の上端間にも、第三の二棚板受け材３３２を水平に渡している。
【００１４】
第一回転支柱２１，２１、第二回転支柱２２，２２、第三回転支柱２３，２３、第四回転支柱２４，２４それぞれの脚部を残した少し高い位置には、第一、第二、第三、第四底板受け材３５１，３５２，３５３，３５４それぞれを水平に渡している。また第一回転支柱２１，２１、第二回転支柱２２，２２、第三回転支柱２３，２３、第四回転支柱２４，２４それぞれの下端間には第一、第二、第三、第四ベース材３６１，３６２，３６３，３６４それぞれを水平に渡している。第一、第二、第三、第四ベース材３６１，３６２，３６３，３６４それぞれの左右各端部近くには、キャスター受け座３７１Ｒ，３７１Ｌ，３７２Ｒ，３７２Ｌ，３７３Ｒ，３７３Ｌ，３７４Ｒ，３７４Ｌを取り付け、それぞれにキャスター３８１Ｒ，３８１Ｌ，３８２Ｒ，３８２Ｌ，３８３Ｒ，３８３Ｌ，３８４Ｒ，３８４Ｌを取り付けている。ここでＲ，Ｌは前側から見て右、左を区別するための符号である。
【００１５】
前棚部１１、中間棚部１２、奥棚部１３それぞれにおいて、左右両端位置をそれぞれ上記回転支柱２１，２２，２３，２４にて支持すると共に、左右中間位置に中間支柱２１１，２２１，２３１，２４１を１乃至複数本設けて各棚部１１，１２，１３を変形しないように補強している。
【００１６】
尚、第一の一棚板受け材３１１、第二の一棚板受け材３２１、第三の一棚板受け材３３１それぞれの後縁部には、棚板２の前端エッジを受け止める板受け段部４１が形成してある。第一の二棚板受け材３１２、第一の三棚板受け材３１３、第二の二棚板受け材３２２それぞれの前縁部には、棚板２の後端エッジを受け止める板受け段部４２を形成し、それらの後縁部にも、棚板２の前端エッジを受け止める板受け段部４１を形成してある。さらに、第三の一棚板受け材３３１、第一の二棚板受け材３１２、第一の三棚板受け材３１３の後縁部にも、棚板２の前端エッジを受け止める板受け段部４１を形成してある。そして第一の四棚板受け材３１４の前縁部にも、棚板２の後端エッジを受け止める板受け段部４２が形成してある。
【００１７】
また、第一底板受け材３５１の後縁部には、棚底板２´の前端エッジを受け止める板受け段部４１が形成してある。第二底板受け材３５２、第三底板受け材３５３それぞれの前縁部には、棚底板２´の後端エッジを受け止める板受け段部４２を形成し、それらの後縁部には、棚底板２´の前端エッジを受け止める板受け段部４１を形成してある。さらに第四底板受け材３５４の前縁部には、棚底板２´の後端エッジを受け止める板受け段部４２が形成してある。
【００１８】
図３は商品陳列棚１の右前部（Ｌ部）の分解拡大図である。尚、ここでは、右前部Ｌ部の分解図を示しているが、左右に鏡対称に折り返せば左前部の構造となる。また、右前部Ｌ部をそのまま鏡対称に後側に折り返せば、右後部の下半部の構造となる。
【００１９】
この図３に詳しいように、第一回転支柱２１、第二回転支柱２２は回転軸パイプＡを芯とし、この回転軸パイプＡに場所に応じて長さの異なる外装パイプＢ１，Ｂ２，Ｂ３，Ｂ４（Ｂ１＜Ｂ２＜Ｂ３＜Ｂ４）を被せている。これら外装パイプＢ１，Ｂ２，Ｂ３，Ｂ４はそれぞれの下端を水平な棚板受け材Ｆ，Ｇ、ベースフレームＨそれぞれに溶接して固定してある。
【００２０】
連結回転パイプＣは水平な前後連結部Ｃ３の両端に垂直に等長の套管部Ｃ１，Ｃ２を設けた構造である。この連結回転パイプＣは、套管部Ｃ１，Ｃ２それぞれを前後の回転軸パイプＡ，Ａそれぞれに被せ、前後の回転軸パイプＡ，Ａ間の間隔を前後連結部Ｃ３の長さに保ちつつ互いに回転できるように連結する。ここでは、外装パイプＢ２の長さと套管部Ｃ１，Ｃ２の長さとの合計長が下段の棚の棚一段分、つまり、底板受け材３５１，３５２，３５３，３５４から第一段棚板受け材３１１，３１２，３１３，３１４までの高さになる。またこの高さは外装パイプＢ３の長さと同じである。
【００２１】
脚部に設けた連結回転パイプＤの両端の垂直な套管部Ｄ１，Ｄ２を前後の回転軸パイプＡ，Ａそれぞれの脚部に被せ、回転軸パイプＡ，Ａ間の距離を前後連結部Ｄ３の長さに保ちつつ互いに回転できるように連結している。この連結パイプＤの前側の套管部Ｄ１の長さは後側の套管部Ｄ２の長さよりも長く、この前側の套管部Ｄ１の長さによって第一回転支柱２１の脚部の高さ、つまり第一ベース材３６１から第一底板受け材３５１までの高さを規定する。そして套管部Ｄ１の長さは外装パイプＢ１の長さと等しくして、脚部の高さ、つまり底板受け材３５１を左右水平に維持するようにしている。尚、奥棚部１３の脚部に配置されている連結パイプは前側の連結パイプＤをその前後、向きを入れ替えた形であり、奥棚部１３の脚部を同様に構成することになる。
【００２２】
第二回転支柱２２と第三回転支柱２３とを一定の距離に保持しつつ回転可能に連結するために、前後両端それぞれの垂直で等長な套管部Ｅ１，Ｅ２（Ｅ２は図示せず。Ｅ１と等長である。）を水平な前後連結部Ｅ３で接続した形状の中間部連結回転パイプＥを用いている。前側の套管部Ｅ１を第二回転支柱２２を構成する回転軸パイプＡに被せ、後側の套管部Ｅ２を第三回転支柱２３を構成する回転軸パイプＡに被せ、前後の回転軸パイプＡ，Ａ間の距離を前後連結部Ｅ３の長さに保ちつつ互いに回転できるように連結している。ここでは、連結回転パイプＤの後側の套管部Ｄ２の長さとこの中間部の連結回転パイプＥの前側の套管部Ｅ１の長さとの合計長が本商品陳列棚１の脚部の高さ、つまりベース材３６２から底板受け材３５２までの高さを規定する。この高さは外装パイプＢ１の長さと同じである。
【００２３】
中間棚部１２の第二段の棚の高さ、奥棚部１３の第二段、第三段の棚の高さについては、外装パイプＢ４の長さと等しく、同時に外装パイプＢ３の長さに前後連結パイプＣの套管部Ｃ１（＝Ｃ２）の長さを加えた長さと等しく設定している。
【００２４】
回転軸パイプＡ，Ａの上下両端それぞれにはねじ部５１が切ってあり、それぞれベース材３６１，３６２をなすベース部材Ｈ，Ｈ、棚板受け材３５１，３５２をなす水平部材Ｆ，Ｆにねじ込み、例えばベアリングナットのようなナットにて回転可能に支持している。外装パイプＢ１，Ｂ２，Ｂ３，Ｂ４は回転軸パイプＡに被せて回転軸パイプＡが中で回転できるようにし、かつ、各下端部を棚板受け材Ｆ，Ｇ、ベース部材Ｈそれぞれに端部を溶接してある。ワッシャーＩはそれに接する上下のパイプが互いに回転できるようにするために、各回転軸パイプＡの所定箇所に溶接してある。
【００２５】
こうした構成の本実施の形態の商品陳列棚１では、左右の第一回転支柱２１と水平な第一の一棚板受け材３１１、底板受け材３５１、ベース材３６１にて四角い第一フレームＦＬ１を構成している。そして左右の第二回転支柱２２と水平な第二の一棚板受け材３２１、底板受け材３５２、ベース材３６２にて四角い第二フレームＦＬ２を構成し、左右の第三回転支柱２３と水平な第三の一棚板受け材３３１、底板受け材３５３、ベース材３６３にて四角い第三フレームＦＬ３を構成し、さらに左右の第四回転支柱２４と水平な第三の二棚板受け材３３２、底板受け材３５４、ベース材３６４にて四角い第四フレームＦＬ４を構成している。そして前後に隣接する第一フレームＦＬ１と第二フレームＦＬ２との間は、連結パイプＣ，Ｄによってリンクして回転するように連結され、また第二フレームＦＬ２と第三フレームＦＬ３との間は連結パイプＣ，Ｅにリンクして回転するように前後に連結され、さらに第三フレームＦＬ３と第四フレームＦＬ４との間も連結パイプＣ，Ｄによってリンクして回転するように前後に連結された骨組み構造となっている。
【００２６】
次に、上記の構成の商品陳列棚１の用い方について説明する。図１に示すように、前棚部１１の前後の底板受け材３６１，３６２間に底板２´を載置して固定し、中間棚部１２の底板受け材３６２，３６３、奥棚部１３の底板受け材３６３，３６４についても同様に底板２′を載置して固定する。
【００２７】
また第一段棚については前棚部１１、中間棚部１２、奥棚部１３それぞれの棚板受け材３１１，３１２の上、また棚板受け材３１２，３１３の上、棚板受け材３１３，３１４の上それぞれに棚板２を置く。第二段棚については、中間棚部１２、奥棚部１３それぞれの棚板受け材３２１，３２２の上、また棚板受け材３２２，３２３の上それぞれに棚板２を置く。そして第三段棚については、奥棚部１３の最上位の棚板受け材３３１，３３２の上に棚板２を置く。これらの棚板２を置く際には、第一の一棚板受け材３１１、第二の一棚板受け材３２１、第三の一棚板受け材３３１それぞれの後縁部に形成した板受け段部４１、また第一の二棚板受け材３１２、第一の三棚板受け材３１３、第二の二棚板受け材３２２それぞれの前縁部に形成した板受け段部４２、またそれらの後縁部に形成した板受け段部４１、さらに、第三の一棚板受け材３第一の二棚板受け材３１２、第一の三棚板受け材３１３の後縁部に形成した板受け段部４１、第一の四棚板受け材３１４の前縁部に形成した板受け段部４２を利用し、その上に各棚板２の前端エッジ、後端エッジそれぞれを載置する。同様に底板２′を置く際にも、第一底板受け材３５１の後縁部に形成した板受け段部４１、第二底板受け材３５２、第三底板受け材３５３それぞれの前縁部に形成した板受け段部４２、それらの後縁部に形成した板受け段部４１、さらに第四底板受け材３５４の前縁部に形成した板受け段部４２を利用し、その上に各底板２′の前端エッジ、後端エッジそれぞれを載置する。
【００２８】
収納のために折り畳む際には、次のようにする。この折り畳み方は図４、図５に示す第一の方法と、図６、図７に示す第二の方法とがある。
【００２９】
［第一の折り畳み方法］
まず棚板２、底板２′のすべてを取り外す。次に、図４Ａに示すように、前から見て前棚部１１の右側の第一回転支柱２１の部分を右横に引き出し、右側の第二回転支柱２２の部分を左後ろ方向に押しやるように力を加える。これによって、図４Ｂに示すように、前後連結パイプＣ，Ｄを回転させ、右側の第一回転支柱２１を右手前に、右側の第二回転支柱２２を左奥側に移動させる。そして図４Ｃに示すように、右側の第一回転支柱２１を右手前に、右側の第二回転支柱２２を左奥側に、前後連結パイプＣ，Ｄの連結部Ｃ３，Ｄ３の長さ分だけ左右にずれた状態で、かつ、前後に重なり合うように折り畳む。
【００３０】
次に、右側の第三回転支柱２３の部分を右横に引き出し、右側の第四回転支柱２４の部分を左後ろ方向に押しやるように力を加え、図４Ｂ、図４Ｃに示した上記の折り畳み作業と同様の作業で、前後連結パイプＤ，Ｃを回転させ、右側の第三回転支柱２３を右手前に、右側の第四回転支柱２４を左奥側に移動させ、前後連結パイプＤ，Ｃの連結部Ｄ３，Ｃ３の長さ分だけ左右にずれた状態で、かつ、前後に重なり合うように折り畳む。
【００３１】
これにより、図５に示すように右側の第一回転支柱２１、右側の第三回転支柱２３が棚１段の奥行き分だけ右横に出て、右側の第二回転支柱２２、右側の第四回転支柱２４が棚１段の奥行き分だけ左横にずれた、つづら折り状態に折り畳める。このつづら折りの折り畳み状態では、左側の部分については、左側の第二回転支柱２２、左側の第四回転支柱２４が棚１段の奥行き分だけ左横にずれた形で折り畳まれる。
【００３２】
［第二の折り畳み方法］
第一の方法とは左右、前後を逆にした方法で、図６に示す状態に折り畳む。そのためには、まず棚板２、底板２′のすべてを取り外す。次に、図７Ａに示すように、前から見て中間棚部１２の右側の第二回転支柱２２の部分を右横に引き出し、右側の第一回転支柱２１の部分を左後ろ方向に押しやるように力を加える。これによって、図７Ｂに示すように、前後連結パイプＣ，Ｄを回転させ、右側の第二回転支柱２２を右手前に、右側の第一回転支柱２１を左奥側に移動させる。そして図７Ｃに示すように、右側の第二回転支柱２２を右手前に、右側の第一回転支柱２１を左奥側に、前後連結パイプＣ，Ｄの連結部Ｃ３，Ｄ３の長さ分だけ左右にずれた状態で、かつ、前後に重なり合うように折り畳む。
【００３３】
次に、右側の第四回転支柱２４の部分を右横に引き出し、右側の第三回転支柱２３の部分を左後ろ方向に押しやるように力を加え、図７Ｂ、図７Ｃに示した上記の折り畳み作業と同様の作業で、前後連結パイプＤ，Ｃを回転させ、右側の第四回転支柱２４を右手前に、右側の第三回転支柱２３を左奥側に移動させ、前後連結パイプＤ，Ｃの連結部Ｄ３，Ｃ３の長さ分だけ左右にずれた状態で、かつ、前後に重なり合うように折り畳む。
【００３４】
これにより、図６に示すように右側の第二回転支柱２２、右側の第四回転支柱２４が棚１段の奥行き分だけ右横に出て、右側の第一回転支柱２１、右側の第三回転支柱２３が棚１段の奥行き分だけ左横にずれた形で折り畳める。この折り畳み状態では、左側の部分については、左側の第一回転支柱２１、左側の第三回転支柱２３が棚１段の奥行き分だけ左横にずれた、つづら折り状態に折り畳まれる。
【００３５】
以上により、第一、第二のいずれの方法によって折り畳んだとしても、折り畳み収納状態では、前後方向には棚板受け材４本の前後幅の合計幅程度に抑え、左右幅は商品陳列棚１の完成状態での横幅に対して１枚の棚板の奥行き分だけプラスした幅長に抑えることができる。
【００３６】
尚、この折り畳み収納状態から使用状態に展開する場合には、最前部の前棚部１１の棚板受け材等を持って手前に引き出せばよい。
【００３７】
以上のように本発明の実施の形態の商品陳列棚によれば、壁前に当該商品陳列棚１を置き、棚板、底板を取り外した状態にして、前方から後方へ棚板受け材部分を持って押すように力を加えるだけで、図５の第一の状態、あるいは図７の第二の状態のつづら折り状態に折り畳むことができ、またこの折り畳み収納状態から最前部の前棚部１１の棚板受け材等を持って手前に引き出せば元の図２に示す展開状態に戻すことができる。そして折り畳んだ収納状態では、前後方向には棚板受け材４本の前後幅の合計幅程度に抑え、左右幅は商品陳列棚１の完成状態での横幅に対して１枚の棚板の奥行き分だけプラスした幅長に抑えることができる。
【００３８】
尚、上記の実施の形態では前後３段の商品陳列棚１を示したが、前後４段以上であっても同様の骨組みを採用することによって、コンパクトな収納状態に折り畳むことができ、また折り畳み作業、展開作業が簡単に行える。また、上下の段数についても限定されるものではない。
【符号の説明】
【００３９】
１  商品陳列棚
２  棚板
２′  底板
１１  前棚部
１２  中間棚部
１３  奥棚部
２１  第一回転支柱
２２  第二回転支柱
２３  第三回転支柱
２４  第四回転支柱
２１１，２２１，２３１，２４１  中間支柱
３１１  第一の一棚板受け材
３１２  第一の二棚板受け材
３１３  第一の三棚板受け材
３１４  第一の四棚板受け材
３２１  第二の一棚板受け材
３２２  第二の二棚板受け材
３２３  第二の三棚板受け材
３３１  第三の一棚板受け材
３３２  第三の二棚板受け材
３５１  第一底板受け材
３５２  第二底板受け材
３５３  第三底板受け材
３６１  第一ベース材
３６２  第二ベース材
３６３  第三ベース材
３６４  第四ベース材
４１，４２，４３，４４  板受け段部
Ａ  回転軸パイプ
Ｂ１，Ｂ２，Ｂ３，Ｂ４  外装パイプ
Ｃ，Ｄ，Ｅ  連結パイプ
Ｆ，Ｇ  棚板受け材
Ｈ  ベース部材
ＦＬ１  第一フレーム
ＦＬ２  第二フレーム
ＦＬ３  第三フレーム
ＦＬ４  第四フレーム
【図１】
2018051187.tif 000003
【図２】
2018051187.tif 000004
【図３】
2018051187.tif 000005
【図４Ａ】
2018051187.tif 000006
【図４Ｂ】
2018051187.tif 000007
【図４Ｃ】
2018051187.tif 000008
【図５】
2018051187.tif 000009
【図６】
2018051187.tif 000010
【図７Ａ】
2018051187.tif 000011
【図７Ｂ】
2018051187.tif 000012
【図７Ｃ】
2018051187.tif 000013